【手続補正書】
【提出日】令和3年4月14日(2021.4.14)
【手続補正１】
【補正対象書類名】特許請求の範囲
【補正対象項目名】請求項１１
【補正方法】変更
【補正の内容】
【請求項１１】
請求項６に記載の表示装置であって、
前記第１〜第４の第１色副画素及び前記第１〜第４の第２色副画素の各副画素は第１の各副画素であり、
前記第１の各副画素の相対輝度値を決定する複数の媒介画素は、
前記第１の各副画素に最も近い媒介画素と、
前記第１の各副画素に最も近い媒介画素の前記第１の軸に沿った両隣の媒介画素と、
前記第２の軸に沿って前記第１の各副画素に２番目に近い媒介画素と、
前記第１の各副画素に２番目に近い媒介画素の前記第１の軸に沿った両隣の媒介画素と、で構成され、
前記第１〜第４の第３色副画素は第２の各副画素であり、
前記第２の各副画素の相対輝度値を決定する複数の媒介画素は、
前記第２の各副画素に最も近い媒介画素と、
前記第２の各副画素に最も近い媒介画素の前記第１の軸に沿った両隣の媒介画素と、
前記第２の各副画素に最も近い媒介画素に前記第２の方向の反対方向において隣接する
媒介画素と、
前記反対方向において隣接する媒介画素の前記第１の軸に沿った両隣の媒介画素と、
前記第２の各副画素に最も近い媒介画素に前記第２の方向において隣接する媒介画素と、
前記第２の方向において隣接する媒介画素の前記第１の軸に沿った両隣の媒介画素と、で構成されている、
表示装置。
【手続補正２】
【補正対象書類名】明細書
【補正対象項目名】００５９
【補正方法】変更
【補正の内容】
【００５９】
そのため、３フレーム画素列（の相対輝度値）に対して、４媒介画素列（の相対輝度値）が関係付けられる。図６Ａは、フレーム単位領域４１、パネル単位領域４５、及び媒介画素からなる媒介単位領域４７の位置関係を示す。図６Ｂは、図６Ａからパネル単位領域４５を除いた図であり、フレーム単位領域４１と媒介単位領域４７の位置関係を示す。
【手続補正３】
【補正対象書類名】明細書
【補正対象項目名】００６０
【補正方法】変更
【補正の内容】
【００６０】
媒介単位領域４７の外形は、フレーム単位領域４１に一致する。媒介単位領域４７は、８つの媒介画素Ｖ１１〜Ｖ２４で構成されている。媒介画素Ｖ１１〜Ｖ２４の形状は共通である。媒介単位領域４７は、２ｍ番目及び２ｍ＋１番目の２つの媒介画素行で構成されている。媒介単位領域４７は、４ｎ〜４ｎ＋３番目の４つの媒介画素列で構成されている。
【手続補正４】
【補正対象書類名】明細書
【補正対象項目名】００６１
【補正方法】変更
【補正の内容】
【００６１】
媒介単位領域４７の行数は、フレーム単位領域４１と同一である。媒介単位領域４７の列数はフレーム単位領域４１の４／３倍である。媒介画素列のピッチ（行方向におけるピッチ）は、パネル副画素列のピッチと一致している。媒介画素を介して、フレーム画素とパネル副画素の相対輝度値を対応付けることで、相対輝度値の適切な割り当てを容易に設計することができる。
【手続補正５】
【補正対象書類名】明細書
【補正対象項目名】００６４
【補正方法】変更
【補正の内容】
【００６４】
媒介画素Ｖ１１はフレーム画素Ｐ１１内に完全に含まれている、つまり、媒介画素Ｖ１１の全ての領域がフレーム画素Ｐ１１の領域に重なっている。フレーム画素Ｐ１１の相対輝度値のみが、媒介画素Ｖ１１に割り当てられ、それらの相対輝度値（Ｒ、Ｇ及びＢの相対輝度値からなるタプル）は同一である。つまり、割り当ての重みが１である。なお、以下において、フレーム画素、媒介画素及び副画素の第１要素が、他の第２要素を含むとは、第２要素の領域の一部又は全部が、第１要素の領域と重なることを意味する。
【手続補正６】
【補正対象書類名】明細書
【補正対象項目名】００６５
【補正方法】変更
【補正の内容】
【００６５】
同様に、媒介画素Ｖ１４、Ｖ２１、及びＶ２４のそれぞれの相対輝度値も、対応する一つのフレーム画素の相対輝度値と一致する。これらの関係は、以下の数式で表わされる。「Ｌ＿」はフィックスが示す画素の相対輝度値（Ｒ、Ｇ及びＢの相対輝度値からなるタプル）を表す。
【手続補正７】
【補正対象書類名】明細書
【補正対象項目名】００６８
【補正方法】変更
【補正の内容】
【００６８】
割り当ての重みは、線形補完により決定される。これにより、映像フレームにより即した自然な画像を表示することができる。具体的には、フレーム画素Ｐ１１の相対輝度値の重みは１／４であり、フレーム画素Ｐ１２の相対輝度値の重みは３／４である。同様に媒介画素Ｖ１３、Ｖ２２、及びＶ２３の相対輝度値は、それぞれが含まれる二つのパネル画素の相対輝度値から決定される。媒介画素Ｖ１２、Ｖ１３、Ｖ２２、及びＶ２３とフレーム画素の相対輝度値との関係は、以下の数式で表わされる。
【手続補正８】
【補正対象書類名】明細書
【補正対象項目名】００７０
【補正方法】変更
【補正の内容】
【００７０】
上記計算例は、両端の４つの媒介画素に対して最近傍のフレーム画素の相対輝度値を与える。これは、両端の媒介画素の重心を対応するフレーム画素の重心に一致させる（重心が等しいと仮定する）ことを意味する。上記計算例は、両端の媒介画素の重心のシフトに応じて、中央の４つの媒介画素の重心位置をシフトさせる。上記計算例において、この位置関係に従って重みが決定されている。この方法により演算を簡略化できる。
【手続補正９】
【補正対象書類名】明細書
【補正対象項目名】００７２
【補正方法】変更
【補正の内容】
【００７２】
上記計算例は媒介画素の重心位置とフレーム画素の重心位置に基づく線形補完により媒介画素それぞれの相対輝度値を決定する。
【手続補正１０】
【補正対象書類名】明細書
【補正対象項目名】００７７
【補正方法】変更
【補正の内容】
【００７７】
媒介画素Ｖ１２は、副画素Ｇ１の全てと、副画素Ｒ３及びＢ６それぞれの少ない一部を含む。他の副画素は媒介画素Ｖ１２の外側に位置する。本例において、媒介画素Ｖ１２の重心位置は、副画素Ｇ１の重心位置と一致する。媒介画素Ｖ１２は、副画素Ｇ１以外の副画素に囲まれている。
【手続補正１１】
【補正対象書類名】明細書
【補正対象項目名】０１１１
【補正方法】変更
【補正の内容】
【０１１１】
より具体的には、これら媒介画素の相対輝度値と割り当てられている重みとの積和が、副画素Ｇ１の相対輝度値である。
Ｌ＿Ｇ１＝（−１／１６）Ｌ＿Ｖ０１＋（２／１６）Ｌ＿Ｖ０２
＋（−１／１６）Ｌ＿Ｖ０３＋（２／１６）Ｌ＿Ｖ１１
＋（１２／１６）Ｌ＿Ｖ１２＋（２／１６）Ｌ＿Ｖ１３
＋（−１／１６）Ｌ＿Ｖ２１＋（２／１６）Ｌ＿Ｖ２２
＋（−１／１６）Ｌ＿Ｖ２３
【手続補正１２】
【補正対象書類名】明細書
【補正対象項目名】０１２４
【補正方法】変更
【補正の内容】
【０１２４】
図２７は、副画素Ｂ４と、それに対して相対輝度値が割り当てられる媒介画素とを示す。媒介画素Ｖ２３、Ｖ２４、Ｖ２５、Ｖ３３、Ｖ３４及びＶ３５が、副画素Ｂ４と関連付けられている。上記媒介画素と副画素Ｂ４との間の関係は、図１７を参照して説明した。媒介画素Ｖ１０、Ｖ１１、Ｖ１２、Ｖ２０、Ｖ２１及びＶ２２と副画素Ｂ１との間の関係と同様である。
【手続補正１３】
【補正対象書類名】明細書
【補正対象項目名】０１４７
【補正方法】変更
【補正の内容】
【０１４７】
フレーム画素Ｐ００、Ｐ１０及びＰ２０の重みの合計は正である。フレーム画素Ｐ０１、Ｐ１１及びＰ２１の重みの合計は正であり、その値はフレーム画素Ｐ００、Ｐ１０及びＰ２０の重みの合計よりも大きい。フレーム画素Ｐ１１の重みは、フレーム画素Ｐ１０の重みより大きい。これら２列のフレーム画素の重みの合計は１である。
【手続補正１４】
【補正対象書類名】明細書
【補正対象項目名】０１５０
【補正方法】変更
【補正の内容】
【０１５０】
図３１は、副画素Ｒ２と、それに対して相対輝度値が割り当てられるフレーム画素とを示す。副画素Ｒ２の一部を含むフレーム画素Ｐ０２、Ｐ０３、Ｐ１２及びＰ１３、並びに、副画素Ｒ２の外側でフレーム画素Ｐ０２又はＰ１２に隣接するフレーム画素Ｐ０１及びＰ１１それぞれの赤の相対輝度値が、副画素Ｒ２に割り当てられる。これらフレーム画素は、副画素Ｒ２の周囲を囲む。フレーム画素Ｐ１２が含む副画素Ｒ２の面積が一番大きい、つまり、フレーム画素Ｐ１２の重心と副画素Ｒ２の重心との距離が最も小さい。
【手続補正１５】
【補正対象書類名】明細書
【補正対象項目名】０１５９
【補正方法】変更
【補正の内容】
【０１５９】
これらフレーム画素の相対輝度値と割り当てられている重みとの積和が、副画素Ｂ２の相対輝度値である。
Ｌ＿Ｂ２＝（１／３２）Ｌ＿Ｐ１１＋（２１／３２）Ｌ＿Ｐ１２
＋（１０／３２）Ｌ＿Ｐ１３＋（−１／３２）Ｌ＿Ｐ２１
＋（３／３２）Ｌ＿Ｐ２２＋（−２／３２）Ｌ＿Ｐ２３
【手続補正１６】
【補正対象書類名】明細書
【補正対象項目名】０１６５
【補正方法】変更
【補正の内容】
【０１６５】
フレーム画素Ｐ２１、Ｐ２２及びＰ２３からなる画素行は、副画素Ｂ２の一部を含む（部分的に重なる）が、その面積は他方の画素行よりも小さい。フレーム画素Ｐ２１、Ｐ２２及びＰ２３の重みの合計は０である。副画素Ｂ２に相対輝度値を与える全てのフレーム画素の重みも合計は１である。
【手続補正１７】
【補正対象書類名】明細書
【補正対象項目名】０１７４
【補正方法】変更
【補正の内容】
【０１７４】
図３５は、副画素Ｒ３と、それに対して相対輝度値が割り当てられるフレーム画素とを示す。副画素Ｒ３の一部を含むフレーム画素Ｐ１１、Ｐ１２、Ｐ２１及びＰ２２、並びに、副画素Ｒ３の外側でフレーム画素Ｐ１２又はＰ２２に隣接するフレーム画素Ｐ１３及びＰ２３それぞれの赤の相対輝度値が、副画素Ｒ３に割り当てられる。これらフレーム画素は、副画素Ｒ３の周囲を囲む。フレーム画素Ｐ２２が含む副画素Ｒ３の面積が一番大きい、つまり、フレーム画素Ｐ２２の重心と副画素Ｒ３の重心との距離が最も小さい。
【手続補正１８】
【補正対象書類名】明細書
【補正対象項目名】０１８０
【補正方法】変更
【補正の内容】
【０１８０】
図３８は、副画素Ｒ４と、それに対して相対輝度値が割り当てられるフレーム画素とを示す。副画素Ｒ４の一部を含むフレーム画素Ｐ１３及びＰ２３、並びに、副画素Ｒ４の外側でフレーム画素Ｐ１３又はＰ２３に隣接するフレーム画素Ｐ１２、Ｐ１４、Ｐ２２及びＰ２４それぞれの赤の相対輝度値が、副画素Ｒ４に割り当てられる。これらフレーム画素は、副画素Ｒ４の周囲を囲む。
【手続補正１９】
【補正対象書類名】明細書
【補正対象項目名】０２０２
【補正方法】変更
【補正の内容】
【０２０２】
次に、フレーム画素の相対輝度値と媒介画素の相対輝度値が上記関係を有する場合の、フレーム画素の相対輝度値とパネル副画素の相対輝度値との間の関係を説明する。媒介画素の相対輝度値とパネル副画素の相対輝度値との間の関係は、図７〜２７を参照して説明と同様である。
【手続補正２０】
【補正対象書類名】明細書
【補正対象項目名】０２２２
【補正方法】変更
【補正の内容】
【０２２２】
フレーム画素Ｐ１０及びＰ１１からなる画素行は、副画素Ｇ１の全部を含む。フレーム画素Ｐ１０及びＰ１１の重みの合計は１である。フレーム画素Ｐ００及びＰ０１からなる画素行は、副画素Ｇ１と全く重ならない。フレーム画素Ｐ００及びＰ０１の重みの合計は０である。フレーム画素Ｐ２０及びＰ２１からなる画素行は、副画素Ｇ１と全く重ならない。フレーム画素Ｐ２０及びＰ２１の重みの合計は０である。
【手続補正２１】
【補正対象書類名】明細書
【補正対象項目名】０２３０
【補正方法】変更
【補正の内容】
【０２３０】
これらフレーム画素の相対輝度値と割り当てられている重みとの積和が、副画素Ｂ２の相対輝度値である。
Ｌ＿Ｂ２＝（７／８）Ｌ＿Ｐ１２＋（１／８）Ｌ＿Ｐ１３
＋（１／８）Ｌ＿Ｐ２２＋（−１／８）Ｌ＿Ｐ２３
【手続補正２２】
【補正対象書類名】明細書
【補正対象項目名】０２３４
【補正方法】変更
【補正の内容】
【０２３４】
フレーム画素Ｐ２２及びＰ２３からなる画素行は、副画素Ｂ２の一部を含む（部分的に重なる）が、その面積は他方の画素行よりも小さい。フレーム画素Ｐ２２及びＰ２３の重みの合計は０である。副画素Ｂ２に相対輝度値を与える全てのフレーム画素の重みも合計は１である。
【手続補正２３】
【補正対象書類名】明細書
【補正対象項目名】０２４３
【補正方法】変更
【補正の内容】
【０２４３】
図４８は、副画素Ｒ３と、それに対して相対輝度値が割り当てられるフレーム画素とを示す。副画素Ｒ３の一部を含むフレーム画素Ｐ１１、Ｐ１２、Ｐ２１及びＰ２２それぞれの赤の相対輝度値が、副画素Ｒ３に割り当てられる。これらフレーム画素は、副画素Ｒ３の周囲を囲む。フレーム画素Ｐ２２が含む副画素Ｒ３の面積が一番大きい、つまり、フレーム画素Ｐ２２の重心と副画素Ｒ３の重心との距離が最も小さい。
【手続補正２４】
【補正対象書類名】明細書
【補正対象項目名】０２４９
【補正方法】変更
【補正の内容】
【０２４９】
図５１は、副画素Ｒ４と、それに対して相対輝度値が割り当てられるフレーム画素とを示す。副画素Ｒ４の一部を含むフレーム画素Ｐ１３及びＰ２３、並びに、副画素Ｒ４の外側でフレーム画素Ｐ１３又はＰ２３に隣接するフレーム画素Ｐ１２、Ｐ１４、Ｐ２２及びＰ２４それぞれの赤の相対輝度値が、副画素Ｒ４に割り当てられる。これらフレーム画素は、副画素Ｒ４の周囲を囲む。
【手続補正２５】
【補正対象書類名】明細書
【補正対象項目名】０２６１
【補正方法】変更
【補正の内容】
【０２６１】
一例は、ダミー画素に対して、隣接する（最も近い）フレーム画素と同一の相対輝度値（Ｒ、Ｇ及びＢの相対輝度値のタプル）を与える。例えば、図５３の例において、ダミー画素５４１Ａ、５４１Ｂ及び５４１Ｃの相対輝度値は、隣接するフレーム画素５３１Ａの相対輝度値と同一である。ダミー画素５４１Ｄの相対輝度値は、隣接するフレーム画素５３１Ｂの相対輝度値と同一である。本例は、最も外側のフレーム画素それぞれの相対輝度値を、行方向又は列方向で隣接するダミー画素に与え、さらに、コーナに位置するフレーム画素の相対輝度値を、行方向、列方向及び斜め方向で隣接するダミー画素に与える。